(57)【要約】      （修正有）【課題】  複数の視聴者が、１画面上のそれぞれの表示画面領域を表示、制御できる表示制御装置を提供する。【解決手段】  表示制御回路は、他の視聴者の入力装置に対応する画面領域が設定されている場合には、その領域の少なくとも一部が重ならない状態をように、領域の位置を制御する。【選択図】  図１０
2006279973.tif 000002
【特許請求の範囲】
【請求項１】
表示領域上に複数の画面を表示できる表示装置を制御するための表示制御装置であって、
複数の入力装置それぞれに対応する画面をそれぞれ表示するための制御と、前記複数の入力装置のうちの所定の入力装置に対応する制御情報を表示するための制御とを行う表示制御回路を有しており、
前記表示制御回路は、前記所定の入力装置以外の他の入力装置に対応する画面領域が前記表示領域上に設定されている場合に、前記制御情報が表示される領域の少なくとも一部は前記他の入力装置に対応する画面領域に重ならない状態を実現できるように前記制御情報が表示される領域の位置を制御することを特徴とする表示制御装置。
【請求項２】
表示領域上に複数の画面を表示できる表示装置を制御するための表示制御装置であって、
入力装置によって制御される画面と、前記入力装置に制御される画面以外の画面とをそれぞれ表示するための制御と、前記入力装置に対応する制御情報を表示するための制御とを行う表示制御回路を有しており、
前記表示制御回路は、前記入力装置によって制御される画面領域以外の画面領域が前記表示領域上に設定されている場合に、前記制御情報が表示される領域の少なくとも一部は前記入力装置によって制御される画面領域以外の画面領域に重ならない状態を実現できるように前記制御情報が表示される領域の位置を制御することを特徴とする表示制御装置。
【請求項３】
前記表示制御回路は、前記入力装置を操作することによって選択できる複数の選択肢が、前記制御情報として前記制御情報が表示される領域に同時に表示されるように制御を行うものである請求項１または２に記載の表示制御装置。
【請求項４】
前記制御情報が表示される領域が重ならない状態を実現しようとする対象となる前記画面領域の有無及びもしくは位置を認識する回路を前記表示制御回路が有する請求項１乃至３いずれかに記載の表示制御装置。
【請求項５】
前記表示制御回路は、前記制御情報が表示される領域が、前記制御情報が対応付けられる前記入力装置によって制御される画面領域に重なるように、前記制御情報が表示される領域の位置を制御する請求項１乃至４のいずれかに記載の表示制御装置。
【請求項６】
前記所定の入力装置もしくは前記他の入力装置の少なくともいずれかは、前記表示装置の使用者が操作するものである請求項１に記載の表示制御装置。
【請求項７】
前記入力装置は、前記表示装置の使用者が操作するものである請求項２に記載の表示制御装置。
【請求項８】
表示領域上に複数の画面を表示できる表示装置を制御するための表示制御方法であって、
複数の入力装置それぞれに対応する画面をそれぞれ表示するための制御と、前記複数の入力装置のうちの所定の入力装置に対応する制御情報を表示するための制御とを行うステップを有しており、
前記所定の入力装置以外の他の入力装置に対応する画面領域が前記表示領域上に設定されている場合に、前記制御情報が表示される領域の少なくとも一部は前記他の入力装置に対応する画面領域に重ならない状態を実現できるように、前記制御情報が表示される領域の位置が制御されることを特徴とする表示制御装置の制御方法。
【請求項９】
表示領域上に複数の画面を表示できる表示装置を制御するための表示制御方法であって、
入力装置によって制御される画面と、前記入力装置に制御される画面以外の画面とをそれぞれ表示するための制御と、前記入力装置に対応する制御情報を表示するための制御とを行うステップを有しており、
前記入力装置によって制御される画面領域以外の画面領域が前記表示領域上に設定されている場合に、前記制御情報が表示される領域の少なくとも一部は前記入力装置によって制御される画面領域以外の画面領域に重ならない状態を実現できるように、前記制御情報が表示される領域の位置が制御されることを特徴とする表示制御装置の制御方法。
【請求項１０】
表示システムであって、
表示領域上に複数の画面を表示できる表示装置と、
請求項１乃至７のいずれかに記載の表示制御装置と、
を有する表示システム。
【請求項１１】
テレビ装置であって、
表示領域上に複数の画面を表示できる表示装置と、
表示希望局の選局を行うチューナと、
前記表示装置を制御する請求項１乃至７のいずれかに記載の表示制御装置と、
を有するテレビ装置。
【発明の詳細な説明】
【技術分野】
【０００１】
本発明は、１台の表示装置で複数の画面を表示することが可能な表示装置を制御する制御装置もしくは制御方法に関する。
【背景技術】
【０００２】
表示装置としてはＣＲＴ装置や液晶表示装置やプラズマ表示装置や投射型表示装置が知られている。これらの表示装置は表示領域を有しており、該表示領域上に複数の画面を表示することができる。
【０００３】
特許文献１には複数リモコン、複数画面視聴に関して、視聴者の位置に応じて、アスペクト比、表示位置を変化させる構成が開示されている。
【特許文献１】特許公開２００１−９４９００号公報
【発明の開示】
【発明が解決しようとする課題】
【０００４】
従来は、入力装置からの所定のコマンドに応じて、画面表示の状態によって電源制御を含む異なる制御を行うことはできなかった。例えば所定の使用者が画面を見ている状態から、該使用者が画面を見るのをやめようとするとき、他の使用者や表示装置そのものの要請によって他の画面が表示されていると、前記所定の使用者が電源ボタンを押下してしまうと表示装置の電源がオフされてしまい、他の画面も表示されなくなってしまうという不都合があった。
【０００５】
また、本願発明者は、画面の表示を行っているときに、制御情報を表示しようとすると、表示されている画面に制御情報が重なることで画面が見えにくくなる場合があることを見出した。
【０００６】
本願は、好適な表示制御装置を実現することを課題の少なくとも一つとする。
【課題を解決するための手段】
【０００７】
本願にかかわる発明の一つである第１の発明は、以下のように構成される。すなわち、
表示領域上に複数の画面を表示できる表示装置を制御するための表示制御装置であって、
複数の入力装置から入力されたコマンドに応じて、前記表示装置を制御する表示制御回路を有しており、
該表示制御回路は、前記複数の入力装置のうちの所定の入力装置から入力された所定のコマンドに応じて、
他の入力装置によって制御される画面領域が設定されている場合には、前記表示装置の電源をＯＦＦにせずに前記所定の入力装置によって制御されている画面領域の削除を行い、他の入力装置によって制御される画面領域が設定されていない場合には前記表示装置の電源をＯＦＦにするように前記表示装置を制御するものである表示制御装置。
【０００８】
また本願にかかわる発明の他の一つである第２の発明は以下のように構成される。すなわち、
表示領域上に複数の画面を表示できる表示装置を制御するための表示制御装置であって、
複数の入力装置それぞれに対応する画面をそれぞれ表示するための制御と、前記複数の入力装置のうちの少なくとも所定の入力装置に対応する制御情報を表示するための制御と、を行う表示制御回路を有しており、
前記表示制御回路は、前記所定の入力装置以外の他の入力装置に対応する画面領域が前記表示領域上に設定されている場合に、前記制御情報が表示される領域の少なくとも一部は前記他の入力装置に対応する画面領域に重ならない状態を実現できるように前記制御情報が表示される前記領域の位置を制御するものである表示制御装置である。
【発明の効果】
【０００９】
上記した第１の発明によれば、他の画面領域が設定されている場合に表示装置の電源がＯＦＦになってしまうのを回避することができる。
【００１０】
上記した第２の発明によれば、制御情報が表示される領域の少なくとも一部は前記他の入力装置に対応する画面領域に重ならないような状態を実現することができる。
【発明を実施するための最良の形態】
【００１１】
本願はいくつかの発明を含んでいる。一つは、上記したように、
表示領域上に複数の画面を表示できる表示装置を制御するための表示制御装置であって、
複数の入力装置から入力されたコマンドに応じて、前記表示装置を制御する表示制御回路を有しており、
該表示制御回路は、前記複数の入力装置のうちの所定の入力装置から入力された所定のコマンドに応じて、
他の入力装置によって制御される画面領域が設定されている場合には、前記表示装置の電源をＯＦＦにせずに前記所定の入力装置によって制御されている画面領域の削除を行い、他の入力装置によって制御される画面領域が設定されていない場合には前記表示装置の電源をＯＦＦにするように前記表示装置を制御するものである、
表示制御装置である。
【００１２】
この入力装置としては、具体的にはリモコン装置を用いることができる。例えばリモコン装置の電源ボタンを押下することで所定のコマンドが送信されるが、後に詳述するこの発明の実施形態では該所定のコマンドに複数の制御を割り当て、他の入力装置によって制御される画面領域が設定されているか設定されていないかで所定のコマンドに応じた制御を異ならせることができるようにしている。特には、他の入力装置によって制御される画面領域が設定されている場合には、前記表示装置の電源をＯＦＦにせずに前記所定の入力装置によって制御されている画面領域の削除を行い、他の入力装置によって制御される画面領域が設定されていない場合には前記表示装置の電源をＯＦＦにするように前記表示装置を制御する構成を採用している。なお画面領域の削除に伴い、該画面領域に表示すべき画面を縮小した縮小画面（例えばサムネイル）の表示や該画面に対応するアイコンやタブの表示を行うようにしてもよい。
【００１３】
なおここで表示装置の電源をＯＦＦするとは、表示装置のすべての電源を切る制御に限るものではなく、一部の電源を切って一部の電源による電力供給は維持できる状態を実現したり、電源が供給する電力を通常表示状態よりも低い状態に移行させたりする制御も含む。好適には、入力装置や他の制御手段からのコマンドにより通常表示状態に回復できる状態で待機している状態にする制御を採用できる。
【００１４】
また本願において「画面領域が設定されている」状態、とは実質的にその画面領域の存在している状態を維持すべき状態にあることを認識できる状態にされていることを言い、画面領域の位置が設定されている状態であったり、画面領域が使用中であることを示すフラグが立てられている状態であったり種々の構成を採用できる。
【００１５】
また本願は以下の発明を含んでおり、後述する具体的な実施の形態は、以下の発明と上記した発明を合わせて実施できる形態となっている。その発明とは、すなわち、
表示領域上に複数の画面を表示できる表示装置を制御するための表示制御装置であって、
複数の入力装置から入力されたコマンドに応じて、前記表示装置を制御する表示制御回路を有しており、
該表示制御回路は、前記複数の入力装置のうちの所定の入力装置から入力された所定のコマンドに応じて、
前記表示装置の電源がＯＮになっていない場合には前記表示装置の電源をＯＮにし、前記表示装置の電源がＯＮになっている場合には前記所定の入力装置によって制御される画面領域を設定するように制御するものである、
表示制御装置、である。
【００１６】
なお、前記表示装置の電源がＯＮになっていない場合には、前記所定のコマンドに応じて前記表示装置の電源をＯＮにするとともに前記所定の入力装置によって制御される画面領域を設定する制御を合わせて行う構成が好適である。
【００１７】
なおここで表示装置の電源をＯＮするとは、表示装置のすべての電源が切れている状態から通常表示状態が実現可能な電力供給状態に移行させる制御に限るものではなく、一部の電力は供給されている状態（好適には入力装置や他の制御手段からのコマンドにより通常表示状態に回復できる状態）から通常表示状態が実現可能な電力供給状態に移行させる制御も含んでいる。
【００１８】
また本願は表示制御装置に関して以下の発明も含んでいる。すなわち、
表示領域上に複数の画面を表示できる表示装置を制御するための表示制御装置であって、
複数の入力装置から入力されたコマンドに応じて、前記表示装置を制御する表示制御回路を有しており、
該表示制御回路は、前記複数の入力装置のうちの所定の入力装置から入力された所定のコマンドに応じて、
前記表示装置の電源がＯＮになっていない場合には前記表示装置の電源をＯＮにし、他の入力装置によって制御される画面領域が設定されている場合には前記所定の入力装置によって制御される画面領域と前記他の画面領域の両方が設定される状態を実現するように制御するものである、
表示制御装置、である。
【００１９】
なお以上述べた各発明では、複数の入力装置を用いる構成を示しているが、本願はこの構成ではない発明をも含んでいる。すなわち、考慮すべき他の画面は他のリモコン装置などの入力装置によって制御される画面に限るものではない。
【００２０】
すなわち本願は以下の発明を含んでいる。以下の発明において，入力装置によって制御される画面領域以外の画面領域とは、その入力装置以外の他の入力装置であってこの表示装置の視者が操作するものによって制御される画面領域であってもよく、またこの表示装置の視者の操作に基づかずに例えば表示装置がこの表示装置の視者の指示に基づかない外部からの指示に基づくなどによって強制的に制御される画面領域であってもよい。それらを包含する構成としては以下のものを挙げることができる。
【００２１】
表示領域上に複数の画面を表示できる表示装置を制御するための表示制御装置であって、
入力装置から入力されたコマンドに応じて、前記表示装置を制御する表示制御回路を有しており、
該表示制御回路は、前記入力装置から入力された所定のコマンドに応じて、
前記入力装置によって制御される画面領域以外の画面領域が設定されている場合には、前記表示装置の電源をＯＦＦにせずに前記入力装置によって制御されている画面領域の削除を行い、前記入力装置によって制御される画面領域以外の画面領域が設定されていない場合には前記表示装置の電源をＯＦＦにするように前記表示装置を制御するものである、
表示制御装置。
【００２２】
表示領域上に複数の画面を表示できる表示装置を制御するための表示制御装置であって、
入力装置から入力されたコマンドに応じて、前記表示装置を制御する表示制御回路を有しており、
該表示制御回路は、前記入力装置から入力された所定のコマンドに応じて、
前記表示装置の電源がＯＮになっていない場合には前記表示装置の電源をＯＮにし、前記表示領域上に画面領域が設定されている場合には前記所定の入力装置によって制御される画面領域を設定するように前記表示装置を制御するものである、
表示制御装置。
【００２３】
表示領域上に複数の画面を表示できる表示装置を制御するための表示制御装置であって、
入力装置から入力されたコマンドに応じて、前記表示装置を制御する表示制御回路を有しており、
該表示制御回路は、前記入力装置から入力された所定のコマンドに応じて、
前記表示装置の電源がＯＮになっていない場合には前記表示装置の電源をＯＮにし、前記入力装置によって制御される画面領域以外の画面領域が設定されている場合には前記所定の入力装置によって制御される画面領域と前記入力装置によって制御される画面領域以外の画面領域の両方が設定される状態を実現するように前記表示装置を制御するものである、
表示制御装置。
【００２４】
このような発明の具体的な実施形態としては、表示装置が使用者の操作に基づかない画面を表示する構成を挙げることができる。具体的には、表示制御回路が表示装置の視者による操作に基づかずに自発的に、もしくは表示しようとする画像信号の送信者の指示に従って強制的に画面を表示する画面領域を設定する構成である。
【００２５】
なお、以上述べた各発明において、所定のコマンドに応じて場合によって異なる制御（ある場合には所定の制御を行い別のある場合には該所定の制御を行わない構成も含む）を行うためには、どの場合に相当する状況にあるのかを評価する状況評価回路を設ける構成を好適に採用できる。なお、この評価回路としてはこの評価を専門に行うための回路である必要は無い。他の処理を行う回路がこの評価も行えるように構成されている場合には該回路がここでいう評価回路となる。そのような回路としては例えばプログラムによって動作する汎用演算回路を用いることができる。
【００２６】
なお本願においては、特定の制御に関して特定の入力装置に特定の画面領域を対応付けることができる場合に、該特定の画面領域が該特定の入力装置によって制御される画面領域に相当する。この条件を満たしていれば特定の入力装置によって制御される画面領域は、該特定の入力装置ではない制御手段（他の入力装置など）によっても制御を受けるものであってもよい。例えば２つの画面領域があり、ある入力装置（第１の入力装置）が一方の画面領域（第１の画面領域）に対応しており、特定の制御として例えば第１の画面領域に（表示される画面に）対してチャンネル選択のための制御を行い、他の制御手段が他方の画面領域（第２の画面領域）に対応しており、前記第１の入力装置が前記第１の画面領域に対して行う前記制御（ここではチャンネル選択のための制御）と同じ制御を第２の画面領域に対して行う場合には、第１の画面領域は第１の入力装置によって制御される画面領域であり、第２の画面領域は前記他の制御手段によって制御される画面領域である。例えば前記他の制御手段が第１の画面領域を含めて明るさ調整などの制御を行う構成も採用できるが、その場合であっても、第１の画面領域は第１の入力装置によって制御される画面領域である。また、特定の制御に関して特定の入力装置が複数の画面領域のうちの一部の画面領域と対応付けることができ、他の画面領域とは該特定の制御に関しては対応付けることができない場合には、特定の入力装置に対応付けられる画面領域が、該特定の入力装置によって制御される画面領域に相当する。
【００２７】
また本願は、上記した通り、
表示領域上に複数の画面を表示できる表示装置を制御するための表示制御装置であって、
複数の入力装置それぞれに対応する画面をそれぞれ表示するための制御と、前記複数の入力装置のうちの少なくとも所定の入力装置に対応する制御情報を表示するための制御と、を行う表示制御回路を有しており、
前記表示制御回路は、前記所定の入力装置以外の他の入力装置に対応する画面領域が前記表示領域上に設定されている場合に、前記制御情報が表示される領域の少なくとも一部は前記他の入力装置に対応する画面領域に重ならない状態を実現できるように前記制御情報が表示される前記領域の位置を制御するものである表示制御装置という発明を含んでいる。
【００２８】
この発明と特徴的な概念が一部共通する発明として、先に述べた通り、表示装置が使用者の操作に基づかない画面領域を設定する構成を実施形態としてとりうる発明をも本願は含んでおり、該発明は以下のように構成される。すなわち、
表示領域上に複数の画面を表示できる表示装置を制御するための表示制御装置であって、
入力装置によって制御される画面と、前記入力装置に制御される画面以外の画面とをそれぞれ表示するための制御と、前記入力装置に対応する制御情報を表示するための制御と、を行う表示制御回路を有しており、
前記表示制御回路は、前記入力装置に制御される画面領域以外の画面領域が前記表示領域上に設定されている場合に、前記制御情報が表示される領域の少なくとも一部は前記入力装置に制御される画面領域以外の画面領域に重ならない状態を実現できるように前記制御情報が表示される前記領域の位置を制御するものである表示制御装置である。
【００２９】
このような制御を実現する構成としては、前記制御情報が表示される前記領域が重ならない状態を実現しようとする対象となる前記画面領域の有無及びもしくは位置を認識する回路を前記表示制御回路が有する構成を具体的に挙げることができる。
【００３０】
なお、制御情報が表示される領域の位置の制御は、該位置を規定する絶対座標もしくは適宜の画面等のオブジェクトに対する相対座標を所望の値に設定することで制御可能である。例えば矩形平面の表示領域を有する表示装置を用いる構成を例に挙げる。ここで表示領域の左上の隅を原点として、横方向にＸ軸、縦方向にＹ軸を設定し、制御情報が表示される領域として矩形の領域を設定する場合には、制御情報が表示される領域として例えばＸ軸方向の座標範囲をＸ（ｋ）からＸ（ｋ＋２００）まで、Ｙ軸方向の座標範囲をＹ（ｐ）からＹ（ｐ＋１００）として設定することができる。括弧内は画素単位の座標値である。この場合Ｘ軸方向に２００画素、Ｙ軸方向に１００画素の大きさの領域が設定される。この例では制御情報を表示する領域の位置は、Ｘ方向の始点と終点、Ｙ方向の始点と終点の４つの点によって示されるものとなる。制御情報を表示する領域の位置の制御はこれらの４点を全て可変なものとして制御するものであってもよく、または一部の点は固定値とし、他の点のみを可変とすることで制御情報が表示される領域の位置を制御するようにしてもよい。また制御情報が表示される領域の設定の仕方としては例えば制御情報が表示される領域の右上の１点の座標を定めるとともに、制御情報が表示される領域の対角長を指定する構成も採用できる。また制御情報が表示される領域として矩形以外の形状を採用することもできる。
【００３１】
ここで、制御情報が表示される前記領域の少なくとも一部は、前記制御情報が表示される前記領域が重ならない状態を実現しようとする対象となる前記画面領域と重ならない状態を実現できるように制御する構成としては種々の構成を採用できるが、例えば、前記制御情報が表示される前記領域が、前記制御情報が対応付けられる前記入力装置が対応する前記画面領域に重なるように制御することによって実現することができる。
【００３２】
なお入力装置に対応する制御情報としては、入力装置を操作した結果として発生する情報であったり、入力装置を操作することで選択されるべき選択肢であったりする構成を好適に採用することができる。テレビジョン放送画面を入力装置を操作することで表示させている場合には、前者としては例えば入力装置を操作することで選択されたチャネルの情報（チャネル番号など）を挙げることができる。また後者としては入力装置を操作することで選択可能な複数の番組を含む番組表を挙げることができる。
【００３３】
本願にかかわる発明の実施形態においては、入力装置は前記表示装置の使用者が操作するものである構成を好適に採用することができる。また入力装置が複数ある構成においては、好ましくは前記所定の入力装置と前記他の入力装置の両方が使用者によって操作されるものであることが望ましく、また前記所定の入力装置と前記他の入力装置とは異なる使用者によってそれぞれ操作しうるものであることが望ましい。使用者とは例えば人間である。
【００３４】
なお前記入力装置によって制御される画面領域に表示される画面としてはテレビジョン番組などの動画番組を表示する画面である構成を好適に採用できる。
【００３５】
また先に述べたように、前記入力装置はリモコン装置である好適に採用できる。以降で説明する実施形態では特に好適な形態として複数のリモコン装置を複数の入力装置として用いる構成を開示している。なおリモコン装置とは本願発明にかかわる表示制御回路が収められた筐体とは離間した位置で操作を行うことができる装置のことを言う。ただし本願発明に関して言えば、リモコン装置以外の入力手段として、表示制御回路を収めた筐体についた操作ボタンなどの入力デバイスを入力手段として用いることができる。その場合該入力デバイスの部分が入力装置として機能することとなる。
【００３６】
なお、表示制御回路は一つの集積回路として構成することができるし、単一もしくは複数の機能を実現する回路を複数個組み合わせて構成することもできる。
【００３７】
本願は、表示制御方法の発明を含んでいるが、具体的には、該方法は、入力装置からの所定のコマンドを受理する工程と、該所定のコマンドに応じて制御を行う工程とを有している。所定のコマンドを受理する工程としては、実施形態としては例えばリモコン装置や表示制御回路を収めた筐体に設けられた入力デバイスが操作されることによって発生した所定のコマンドを、該表示制御回路に入力する工程がこれに相当する。
【００３８】
また本願は、複数の入力装置それぞれに対応する画面をそれぞれ表示するための信号処理工程を有する発明を含んでいるが、これを実現する具体的な実施形態としては、複数の入力装置それぞれに対応する画面を構成するための画像信号のそれぞれを合成して合成した画像信号を形成する信号処理を行う構成を採用することができる。また本願は、上記したように、入力装置によって制御される画面と、前記入力装置に制御される画面以外の画面とをそれぞれ表示することができる発明を含んでいるが、入力装置によって制御される画面と、前記入力装置に制御される画面以外の画面とをそれぞれ表示するための信号処理を実現する具体的な実施形態としては、入力装置によって制御される画面を構成するための画像信号と、該入力装置に制御される画面以外の画面を構成するための画像信号とを合成して合成した画像信号を形成する信号処理を行う構成を採用することができる。また、制御情報を表示するための信号処理工程の具体的な実施形態としては、上記と同様に他の画像信号と前記制御情報を表示するための画像信号とを合成して合成画像信号を形成する信号処理を行う構成を採用することができる。
【００３９】
以下、図面を用いて本発明の実施形態について更に詳細に説明する。
【００４０】
図１は、本発明を適用した実施形態における表示システム構成を示すブロック図である。
【００４１】
１．１は、ＴＶ装置であって、テレビ受信、ネットワークｓ１．１に接続された機器とのデータの送受信、リモコン装置１．２／１．３とのデータの送受信を行い、映像、音声、及び操作データ等を表示、及び音声出力する。
【００４２】
１．２、１．３は、入力装置であるリモコン装置であって、単独、あるいは複数のＴＶ視聴者が、前記ＴＶ装置１．１、ＶＴＲ装置１．４などを制御、操作するのに使用するものである。
【００４３】
１．４は、ＶＴＲ装置であって、ＴＶ、その他画像、音声データの録画、再生を行う。これらは、後述ネットワークｓ１．１を通じて制御され、ＴＶ装置１．１に映像、音声を出力できる。
【００４４】
Ｓ１．１は、ネットワークであって、前記ＴＶ装置１．１、ＶＴＲ装置１．４などを接続し、データの送受信を行うものである。
【００４５】
図２は、前記ＴＶ装置１．１の詳細を説明する図である。このＴＶ装置単体でも表示システムを構成できる。
【００４６】
１．１０１は、アンテナ装置であって、外部より、ＴＶ電波を受信し高周波電気信号に変換し、後述チューナ部１．１０２へと導く。
【００４７】
１．１０２、１．１０２ｂ、１．１０２ｃは、チューナ部であって、前記アンテナ部１．１０１よりの高周波ＴＶ信号を増幅、希望局の選局、復調し、さらに、映像／音声データとその他のデータ信号に分離し、映像／音声データをデコーダ部へ出力する。又、その他データ信号は、必要に応じて、バスｓ１．１０１へ出力される。
【００４８】
１．１０３、１．１０３ｂ、１．１０３ｃ、１．１０３ｄは、デコーダ部であって、前述チューナ部、後述外部ｉ／Ｆ部１．１３０よりのエンコードされた映像／音声データを後述の処理、表示等ができるようにデコードし、映像は後述の拡大縮小部１．１０４へ、音声は、音声制御部１．１２３へ出力する。
【００４９】
１．１０４は、拡大縮小部であって、前記デコードされた映像信号を、システム制御部１．１９０の指示に従って、拡大／縮小／変倍され、画像制御部１．１２１へ出力される。
【００５０】
１．１２１は、画像制御部あって、前述拡大縮小部１．１０４、１．１０４ｂ、１．１０４ｃ、１．１０５ｄよりの映像データと、バスｓ１．１０１を通して選られるＯＳＤ画像データを、後述システム制御部１．１９０よりの制御によって切り替え、あるいは合成し、後述表示器１．１２２へ出力する。
【００５１】
１．１２２は、表示装置である表示器であって、前記画像制御部１．１２１よりの画像データを表示する。この表示器は拡大縮小部Ａ１．１０４乃至拡大縮小部１．１０４ｄからそれぞれ入力される画像信号にそれぞれ対応する４つの画面の全部もしくは一部を複数同時に表示することができるものである。
【００５２】
１．１２３は、音声制御部であって、前述チューナ部１．１０２、１．１０２ｂ、１．１０２ｃ、外部ｉ／Ｆ部１．１３０、及び、内部バスｓ１．１０１よりの音声データを、切り替え、あるいは合成、又、音量、音質、臨場感などを制御し、後述音声出力部１．１２４、音声送信部１．１２５、１．１２５ｂへ出力する。
【００５３】
音声出力部１．１２４は、前記音声制御部１．１２３より入力された音声信号を増幅し、スピーカより音声を出力する。
【００５４】
音声送信部１．１２５、１．１２５ｂ、１．１２５ｃは、前記音声制御部１．１２３よりの音声データを、リモコン装置１．２、１．３に対して再送信する。
【００５５】
１．１３０は、外部ｉ／Ｆ部であって、バスＳ１．１を通して、ＴＶ装置１．１とＶＴＲ装置１．４間でデータの送受信を行う。
【００５６】
リモコン制御部１．１４０は、赤外線を利用したリモコン送受信制御部であって、ＴＶ視聴者が操作し送信される、後述リモコン装置１．３、１．４とデータの送受信を行い、該データをシステム制御部１．１９０へ転送する。
【００５７】
１．１５０は、パラメータ記憶部であり、操作されるリモコンと、該リモコン装置によって表示される画面の情報が格納される。後述リモコン及び表示管理テーブル（以下ＲＤＣテーブル）もこの中に存在する。
【００５８】
拡大縮小部Ａ１．１０４乃至拡大縮小部Ｄ１．１０４ｄ及び画像制御部１．１２１及びシステム制御部１．１９０及びパラメータ記憶部１．１５０が表示制御回路を構成している。
【００５９】
図５は、該ＲＤＣテーブルの内容と例を表したものである。
【００６０】
ＴＶ装置１．１は、表示器の表示領域を複数の領域（画面領域）に分割し、各種の表示、操作、制御が行えるようになっている。該分割した領域は、個別のリモコンで操作し、該操作されるリモコンのＩＤをリモコンＩＤの項に登録する。本実施形態としては、特に好適な例として、各画面領域内に各画面領域に対応するリモコン装置によって制御される画面を複数表示可能に構成している。各リモコン装置で制御する画面が一つのみでよい場合には、画面領域は各リモコン装置が制御する一つの画面が実際に表示される領域と等しく設定する構成としてもよい。
【００６１】
操作中レジスタは、ＴＶ装置１．１が前記リモコンによる制御下にない場合、“オールクリア状態”となり、ＴＶ装置１．１に表示はされていないが、リモコン装置との間でメニュー処理を行っている場合、“メニューフラグ”がセットされる。
【００６２】
また、ＴＶ装置１．１に表示がなされている場合に“視聴中フラグ”がセットされる。リモコンＩＤがＩＤ１である領域に対応する視聴中フラグがセットされている場合には、ＩＤ１のＩＤをもつリモコン装置によって制御される画面領域が設定されている状態であることがわかる。リモコンＩＤがＩＤ２である領域に対応する視聴中フラグがセットされている場合には、ＩＤ２のＩＤをもつリモコン装置によって制御される画面領域が設定されている状態であることがわかる。
【００６３】
距離は、リモコン装置１．２、１．３により測距され、ＴＶ装置１．１に送信される、該リモコン装置とＴＶ装置の距離データが格納される。
【００６４】
表示領域は、前述したリモコンで表示、操作、制御できる矩形の画面領域の対角の座標情報が格納される。
【００６５】
優先順位は、複数の画面領域でリソースの競合が生じた場合、などの優先的使用順位であり、ＴＶ装置１．１の操作を開始した順番が早いほど高く、リモコンによる操作中レジスタのセット時に、他の操作中レジスタを調査し、他の操作中レジスタのより低い値がセットされ、操作レジスタがクリアされる際クリアされる。ＴＶ装置１．１では、ＴＶ装置１．１音声の出力は、該優先順位の高い領域に優先権がある。
【００６６】
画面モードは、各画面領域内でさらに複数の画面の表示が行われる際の大小画面、対等表示画面といった表示モードを設定する。１画面の際は、“シングル”がセットされる。該項は、該領域がリモコンによる操作をされていない場合（例えば該領域に表示されるように制御される画面がない場合）、クリアされる。
【００６７】
表示画面情報は、上記画面領域内に表示される各画面の画像、音声等の入力情報であり、各画面に対し割り付けられる画面ＩＤと、入力ソース、解像度、縦横比、音声フォーマットといった入力情報と、表示開始位置、対角表示サイズ、音声出力先、音量といった出力情報等よりなる。画面ＩＤは、該入力情報に基づき、ＴＶ装置１．１に表示が行われている場合にセットされ、そうでない場合はクリアされている。該画面ＩＤは、各リモコンＩＤに対し最大４つまで割り当て可能となっている。
【００６８】
これらの情報は、一度格納されると、電源ＯＦＦにおいても保持され、次回、画面表示の際の参考値となる。
【００６９】
図５では、リモコン装置１．２、１．３により、ＴＶ装置１．１に対し、なんらかのデータを送信し、そのリモコンＩＤが登録されたことを示している。優先順位は、リモコン装置１．２にある。そして、リモコンＩＤ１により、画面ＩＤ１と、画面ＩＤ３をＩＤとして有する２つの画面が表示画面情報１、表示画面情報２に基づいて表示され、リモコンＩＤ２により、画面ＩＤ２をＩＤとして有する画面が画面表示情報２に基づいて表示されていることを示している。
【００７０】
１．１９０は、制御部であって、後述のバスｓ１．１０１に接続され、ＴＶ装置１．１内各部を統括的に制御する。
【００７１】
まず、ＴＶ受信においては、前述した、アンテナ部１．１０１、３つのチューナ部１．１０２、１．１０２ｂ、１．１０２ｃの制御を行い、チャネル切り替え、課金制御、ＥＰＧデータよりの制御などを行う。
【００７２】
又、表示サイズにより、拡大縮小部１．１０４、１．１０４ｂ、１．１０４ｃを制御する。
【００７３】
又、画像制御部１．１２１を制御し、チューナ部１．１０２、１．１０２ｂ、１．１０２ｃ、ＶＴＲ装置１．４よりの映像・音声信号、また、ｓ１．１０１を通したアイコン、各種情報表示等の、合成、表示制御を行う。
【００７４】
同様に、音声制御部１．１２３を制御し、音声の合成、出力制御を行い、音声出力部１．１２４、音声送信部１．１２５、１．１２５ｂへの出力制御を行う。
【００７５】
又、外部ｉ／Ｆ部１．１３０を制御し、ネットワークｓ１．１を通して、該ネットワークに接続されたＶＴＲ装置１．４を制御、データの送受信を行う。
【００７６】
又、上記制御部１．１９０におけるこれらの制御は、リモコン制御部１．１４０よりの信号より、チューナ部１．１０２、１．１０２ｂ、１．１０２ｃ、又、外部ｉ／Ｆ部１．１３０よりの信号を判断し、適時行われる。
【００７７】
Ｓ１．１０１は、内部Ｂｕｓであって、データ、並びに制御バスであり、前述してきたように、画像、音声データの転送、各部情報の転送に使用される、ＴＶ装置１．１内のバスである。
【００７８】
尚、前記外部記憶部１．１３０、リモコン制御部１．１４０、パラメータ記憶部１．１５０、制御部１．１９０は、ＴＶ装置１．１の電源がＯＦＦの状態でも、リモコンよりのキーデータの受信、ＴＶ装置１．１を制御等を行うために動作している。
【００７９】
図３は、本形態で使用するリモコン装置１．２及び１．３の詳細なブロック図である。リモコン装置１．２及び１．３は本形態においては同一の構造のものを採用している。
【００８０】
１．２０１は、キーボタン部であって、後述キー１．２０１ｐｏ、キー１．２０１ｍｙ、等のＴＶ装置１．１を操作するためのものである。
【００８１】
１．２０２は、データ送受信部であって、前記１．２０１で生成されたリモコンデータを前述ＴＶ装置１．１内の、リモコン制御部１．１４０へ送信、また、ＴＶ装置１．１内よりのデータの受信などを行う。
【００８２】
１．２１０は表示部であり、ＴＶ装置１．１の操作に必要な、操作情報、メッセージ等を表示するものである。これらには、ＴＶ装置１．１より受信したものも含まれる。
【００８３】
１．２２０は、音声受信部であり、リモコン装置１．２は、前述音声送信部１．１２５より送信された音声データを、リモコン装置１．３は、前述音声送信部１．１２５ｂより送信された音声データを受信、復調し、音声出力部１．２３０へ出力する。
【００８４】
１．２３０は、音声出力部であり、音声受信部１．２２０よりの音声データを増幅し、スピーカより出力するものである。
【００８５】
１．２４０は、測距部であって、カメラ等に使用されるいわゆる反射型の測距部であり、測距対象に対し赤外線を発行し、その反射を利用して距離を測定するようなものである。キーボタン部１．２０１の何れかがＴＶ装置１．１に向かって押下されると、ＴＶ画面に対し赤外線を発行し、ＴＶ装置１．１とリモコン装置との距離を測定する機能を有する。
【００８６】
１．２９０は、リモコン制御部であり、キーボタン部１．２０１のマトリクスをスキャンし、押下されたキーを特定し、キーコードを割り付け、測距部１．２４０を制御し、ＴＶ装置１．１とリモコン装置の距離の測定、データ送受信部１．２０２を制御し、ＴＶ装置１．１と通信を行い、前記押下キーコード情報、測距データ等、各種データの送信、また、メッセージ、操作パネル、アイコン等、各種データの受信、１．２１０へ、前記受信データをはじめとする各種情報の表示、また、音声受信部１．２２０で受信した音声データの音量制御等を行う。
【００８７】
該リモコン装置は、リモコン固有のリモコンＩＤを制御部１．２９０に格納されており、
前記データの送信の際、データ送信に先立ち、該リモコンＩＤを送信することで、リモコンデータがどのリモコンから送信されたものであるかを特定できるようになっている。本実施形態では、リモコン装置１．２のリモコンＩＤは、“ＩＤ１”であり、１．３リモコン装置のリモコンＩＤは、“ＩＤ２”である。
【００８８】
図４は、１．２、１．３、２つのリモコン装置の外形図を示しており、図３に対応している。１．２０１ｐｏは、電源キーであり、ＴＶ装置１．１の電源ＯＮ／ＯＦＦを行うキーである。１．２０１ｓｃは、画面キーであり、画面の追加、削除を行うキーである。
【００８９】
ＴＶ装置１．１は、ひとつのリモコンで、指定された画面領域内に、最大４画面までの画面を表示できるようになっており、該画面キーの押下に従い、１画面から４画面のローテーション動作を行うことが可能である。表示される内容は、前述の表示画面情報に基づき表示され、表示されている画面に対しては画面ＩＤが割り当てられる。
【００９０】
また、別リモコン装置による個別視聴開始の設定キーとしても使用され、他に視聴者が存在する場合に、該別リモコンにより該画面キーを押下すると、後述画面キー処理、視聴領域変更処理が軌道され、他の視聴者とは独立した領域が確保され、該領域内で、最大４画面までの視聴、及びＴＶ装置１．１の操作ができるようになる。なおこのリモコン装置によって制御される画面の表示を開始するときの画面領域の確保（及び場合によっては電源ＯＮ）、及びもしくはこのリモコン装置によって制御される画面の表示を終了するときの画面領域の削除（及び場合によっては電源ＯＦＦ）のための制御を行わせるためのコマンドを、後述するようにこの画面キーの操作ではなく電源キーの操作で発生させる構成とすることもできる。
【００９１】
１．２０１ｒｓは、画面リサイズキーであり、マルチ視聴時に該キーが押下されると、ＴＶ装置１．１とリモコン間の測距が実行され、該測定距離データに基づき、後述視聴領域変更処理が起動され、ＴＶ装置１．１の画面サイズの再設定が行われる。
【００９２】
１．２０１ＴＶは、入力切替キー、チャネル選択キー、音量キー等のテレビ視聴基本キーである。１．２０１ｍｎは、メニューキー、上下左右カーソルキー等の、テレビ拡張操作キーである。
【００９３】
次に、前述と、図９から図２１を用いて本実施形態の動作について説明する。
【００９４】
まず、基本となる、いくつかの個別の動作について説明する。
【００９５】
最初に、本発明におけるＴＶ装置１．１とリモコン装置１．２、１．３間のキー送信と、測距測定について、リモコン装置側の動作を図２４で説明する。
【００９６】
リモコン装置は、リモコン制御部１．２９０により、キー押下検出のため、キースキャンを行っている（ｓｔ２８０１）。
【００９７】
ＴＶ視聴者が、リモコンボタンを押下すると、該ボタンに対応するキーデータが生成され、データ送受信部１．２０２よりＴＶ装置１．１のリモコン制御部１．１４０へ送信される。該キーデータには、該リモコンのリモコンＩＤデータが含まれ、該リモコンＩＤデータにより、キーデータを送信したリモコンを特定できる（ｓｔ２８０２）。
【００９８】
次に、送信したキーが受信されたことに対応する、リモコン制御部１．１４０よりの、レスポンスを待つ（ｓｔ２８０３）。
【００９９】
ある時間レスポンスがなかった場合、押下キーが正常にリモコン制御部１．１４０に受信されなかったとして、エラー処理するかどうかの判断を行う（ｓｔ２８２１）。
【０１００】
リモコン装置であらかじめ決められた回数、キーコードを送信したにもかかわらずレスポンスが無い場合はエラーと判断され（ｓｔ２８２１）、エラー処理を行い終了する。該エラー処理では、表示部１．２１０にエラー表示すると共に、音声出力部１．２３０へアラームを出力し、視聴者に押下キーがＴＶ装置１．１に正常に送信されなかったことを認識させる（ｓｔ２８２２）。
【０１０１】
エラーでないと判断された場合、再びキースキャンのルーチンへ戻る（ｓｔ２８０２）。
【０１０２】
レスポンスがあった場合、該レスポンス内に、距離データ要求が存在するかどうかをチェックし（ｓｔ２８０３）、ＴＶ装置１．１と、リモコン装置は対面していると判断し、測距部１．２４０において、リモコン装置とＴＶ装置１．１の測距を測定する（ｓｔ２８０７）。
【０１０３】
そして、該距離データをデータ送受信部１．２０２より、ＴＶ装置１．１のリモコン制御部１．１４０へ送信する（ｓｔ２８０９）。
【０１０４】
そして、再び、レスポンスを待ち（ｓｔ２８１０）、レスポンスがあれば、正常終了し、そうでない場合、ｓｔ２８２１と同様のエラー判断を行い（ｓｔ２８４１）、エラーの場合は、エラー処理を行い（ｓｔ２８４２）、そうでなければ、再び、キースキャンのルーチンへ戻り、距離データを再送信し、リモコン制御部１．１４０よりの、レスポンスを待つ。
【０１０５】
次に、ＴＶ装置１．１側のリモコン装置による制御動作を図１８で説明する。
【０１０６】
ＴＶ装置１．１のリモコン制御部１．１４０では、リモコンキーデータがあるかどうかを受信しており、データを受信すると（ｓｔ２１０１）、まず、電源ＯＮ状態であるかどうかを調べる（ｓｔ２１０２）。
【０１０７】
電源ＯＦＦ状態である場合は、受信したキーデータが電源キーに対応するコマンドに相当するデータを含んでいるかどうかを調べ、電源キーに対応するコマンドに相当するデータを含んで無い場合は、電源ＯＦＦレスポンスをリモコン装置に返し終了する（ｓｔ２１４１、ｓｔ２１４２）。
【０１０８】
電源ＯＮ状態であるか、電源ＯＦＦ状態でも受信したキーデータが電源キーに対応するコマンドに相当するデータを含んでいる場合は、該データのリモコンＩＤをチェックし、ＴＶ装置１．１内のＲＤＣテーブル内に既に登録されているかどうかを調査し、登録されていなければ、登録を行う（ｓｔ２１０３、ｓｔ２１０４）。
【０１０９】
その後、キーコードをキーバッファに登録し該キーコードのリスナーに対しイベントを発生させる（ｓｔ２１０５）。
【０１１０】
そして、該キーデータが距離を必要としているコマンドに相当するデータを含むキーデータかどうかをチェックする。この距離測定必要キーは、電源キー、画面キー、リサイズキー、及び、後述距離測定キーテーブルに登録されたキーである。該距離必要テーブルは、図８のようなもので、距離測定が必要と判断したアプリケーションプログラムによって、登録・解除されるもので、パラメータ記憶部１．１５０内に置かれる（ｓｔ２１０６）。
【０１１１】
距離測定は必要ないと判断された場合、前述、キー受信に対するレスポンスとして、距離測定不必要レスポンスを返す（ｓｔ２１０７）。
【０１１２】
距離測定が必要と判断した場合は、リモコン装置１．２、又は１．３に、距離データ要求レスポンスを送信し、距離データを受信する（ｓｔ２１２１、ｓｔ２１２２）。
【０１１３】
距離データが一定時間受信できない場合は、前述ｓｔ２６２１と同様の処理に基づき、エラーを行う（ｓｔ２１３１）。
【０１１４】
エラーと判断された場合は、エラーのレスポンスを１．２、あるいは、１．３リモコン装置に返し終了する（ｓｔ２１３１、ｓｔ２１３２）。エラーでないと判断された場合は、再度距離要求レスポンスを返す（ｓｔ２１３１、ｓｔ２１２１）。
【０１１５】
距離データが受信された場合は、距離データ受信レスポンスを返し（ｓｔ２１２２、ｓｔ２１２３）、ＲＤＣテーブルの対応するリモコンＩＤの距離データ欄に該距離データを書き込む（ｓｔ２１２４）。
【０１１６】
次に、視聴者が電源ＯＮ／ＯＦＦ、個別視聴の終了時に押下する電源キーの処理について図１９で説明する。
【０１１７】
電源キー処理では、キー受信処理部よりの、電源キーイベントの発生を待っている。電源キーイベントであることが確認されると、パラメータ記憶部１．１５０内のＲＤＣテーブルの操作中レジスタのフラグがセットされているかどうかを調査する。
【０１１８】
該キーデータを送信した自己のリモコンＩＤの操作中レジスタ、あるいは、それ以外のリモコンＩＤ以外の操作中レジスタのフラグが何もセットされていない場合は、ＴＶ装置１．１は、電源ＯＦＦ状態であると判断し、電源ＯＮ処理を行う（ｓｔ２２０２、ｓｔ２２１１）。
【０１１９】
その後、ＲＤＣレジスタの操作されたリモコンＩＤに対応する操作中レジスタの視聴フラグのセット、優先順位の“１（最優先）”にセット、リモコン距離のセット、表示領域を全画面にセットを行い、画面表示処理を起動し終了する（ｓｔ２２１１、ｓｔ２２１２、ｓｔ２２１３、ｓｔ２２１４）。これによりこのリモコン装置に対応する画面領域が設定される。
【０１２０】
該キーデータを送信したリモコンＩＤの操作中レジスタはセットされておらず、それ以外のリモコンＩＤ以外の操作中レジスタがセットされている場合は、ＴＶ装置１．１は、該キーデータを送信したリモコン以外のリモコンで操作されていると判断し、電源ＯＮ／ＯＦＦ処理は行えないので、キー無効のアラーム処理を行う（ｓｔ２２０２、ｓｔ２２１１、ｓｔ２２３１）。後述する例のように、ここでこのリモコン装置に対応する画面領域を設定するようにしてもよいが、この実施例ではこの機能は電源キーに対応するコマンドには割り当てないこととする。
【０１２１】
該キーデータを送信したリモコンＩＤの操作中レジスタのフラグはセットされているが、それ以外のリモコンＩＤ以外の操作中レジスタは何もセットされていない場合は、ＴＶ装置１．１は、電源ＯＮ状態であり、該キーデータ送信のリモコン以外で操作されていない場合（このリモコン装置で制御される画面領域以外の画面領域が設定されていない場合）であり、該キー押下により電源ＯＦＦ動作であると判断し、まず、操作されたリモコンＩＤに対応する操作中レジスタの全フラグのクリア、優先順位のクリア後、電源ＯＦＦ処理を行い、ＴＶ装置１．１の電源をＯＦＦにする（ｓｔ２２０２、ｓｔ２２０３、ｓｔ２２４１、ｓｔ２２４２、ｓｔ２２４３）。
【０１２２】
該キーデータを送信したリモコンＩＤの操作中レジスタ、及びそれ以外のリモコンＩＤ以外の操作中レジスタが共にセットされている場合は、このリモコン装置で制御される画面領域以外の画面領域が設定されている場合であり、ＴＶ装置１．１は、電源ＯＮ状態で、個別視聴モードで動作している場合に視聴者が視聴を終了する際の操作と判断し、電源ＯＦＦは行わずに、このリモコン装置で制御される画面領域の削除処理を行う。この場合、該キーデータ送信のリモコンの視聴中フラグ、優先順位をクリアし、後述の視聴領域変更処理を行う（ｓｔ２２０２、ｓｔ２２０３、ｓｔ２２０５、ｓｔ２２０６、ｓｔ２２０７）。
【０１２３】
次に視聴者が、個別視聴画面を開始する際押下する、画面キー処理について図２０を用いて説明する。尚、前述した様に、そのリモコンで既に操作している場合は、画面の追加、削除を行う動作を行う。
【０１２４】
画面キー処理部では、キー受信処理部より、画面キーイベントの発生を待っている（ｓｔ２３０１）。画面キーであることが確認されると、キーを押下したリモコンＩＤの操作中レジスタの視聴フラグがセットされているかどうかを調査し（ｓｔ２３０２）、セットされていない場合は、ＴＶ装置１．１を操作していないリモコン装置によるキー押下であり、新たな個別視聴をしようとしていると判断し、このリモコン装置によって制御される画面領域を設定すべく、後述視聴領域変更処理を起動する（ｓｔ２３０３）。ここで画面領域の設定と同時に該画面領域上での画面の表示（新たな画面の表示）を開始することができる。
【０１２５】
セットされている場合は、既に画面を操作しているリモコンによる画面モードの変更であると判断し、操作リモコンＩＤ対応の領域内で画面の追加・削除処理を行う。該処理は、対応領域内の画面ＩＤの数を調査し、画面数が４未満であれば、新規に画面ＩＤと表示画面情報を追加し、画面ＩＤ数が４である場合は、主画面となっている画面以外の３つの画面ＩＤをクリアする処理を行う（ｓｔ２３１１）。
【０１２６】
そして、該リモコンＩＤの距離が変化していないかどうかを調査し（ｓｔ２３１２）、変化していれば、視聴領域変更処理を行い（ｓｔ２３０４）、変化していなければ、対応領域に対し、画面表示処理を行う（ｓｔ２３１３）。
【０１２７】
次に、画面表示処理について図２１を用いて説明する。
【０１２８】
画面表示処理は、まず、ＲＤＣテーブル内のリモコンＩＤ対応の設定値より、画面ＩＤの数、大小２画面、対等２画面といった画面モード、また主画面の調査を行い（ｓｔ２４０１、ｓｔ２４０２、ｓｔ２４０３）、前記情報に基づき、各画面サイズ、開始位置の決定を行い、表示画面情報に書き込み、該表示画面情報に基づき表示を行う。尚、画面モード、主画面の変更は、メニュー操作により画面モード変更により行う（ｓｔ２４０４）。
【０１２９】
そして、優先順位を調査し、“１”であれば、前記主画面ＴＶ１．１本体から、主画面の音声を出力し（ｓｔ２４０８、ｓｔ２４０９）、そうでなければ、音声送信部１．１２５ａ、ｂより音声を送信する（ｓｔ２４２１）。
【０１３０】
次に、個別視聴の領域の追加・削除、及びリモコン装置とＴＶ装置の距離が変化した場合に必要な画面サイズの変更、表示を行う、視聴領域変更処理について図２２を用いて説明する。
【０１３１】
まず、操作中レジスタの視聴フラグ、あるいは後述メニューフラグがセットされた数より視聴領域数ｎを決定し（ｓｔ２６０１）、次に、視聴フラグのセットされた優先順位を１から順に再セットする（ｓｔ２６０２）。
【０１３２】
次に、領域追加の場合、ＲＤＣテーブル内で操作されているリモコンＩＤの表示画面情報の画面ＩＤを調査し、画面が追加なのかどうかを調査し、追加であれば、表示する入力画像、音声を決定する（ｓｔ２６０３、ｓｔ２６０４）。
【０１３３】
この際、ＲＤＣテーブルの操作しているリモコンＩＤに対応の、表示画面項の入力情報に、以前のものが残っていればそれを使用し（ｓｔ２６０５）、存在せず新規画面の場合は、未使用のチューナの一番低い周波数のチャネルを入力ソースとして、ＲＤＣテーブルにセットする。該入力情報の選択は別の方法によることもできる（ｓｔ２６２１）。
【０１３４】
次に、操作中レジスタがセットされているリモコンＩＤの距離データより、距離の一番小さいリモコンを基準に、それ以外の各リモコンとＴＶ装置の距離の比Ｒｉを、計算し、これがあらかじめ決められている距離比最大値Ｒｍａｘ以内かどうかを調査する（ｓｔ２６０７）。
【０１３５】
範囲内であれば、前記求めた距離の比Ｒｉを画面サイズパラメータＰｉに決定し（ｓｔ２６０８）、範囲外であれば、距離比最大値Ｒｍａｘを、画面サイズパラメータＰｉに決定する。ｎ個の領域（リモコン装置、操作中レジスタの視聴中フラグも同数）に対し、ｎ−１個の画面サイズパラメータＰｉが作成される（ｓｔ２６４１）。
【０１３６】
そして、ｎ個の各領域に表示できる最大画面の対角線Ｄｉの比が、
Ｐ１：Ｐ２：・・・：Ｐｎ−１：１＝Ｄ１：Ｄ２：・・・Ｄｎとなるように、各画面領域と、最大表示画面サイズを決定する。すなわち、視聴者がＴＶ装置から離れ、ＴＶ装置とリモコン装置の距離が大きくなるほど、画面領域、表示画面サイズが大きくなるようになる。
【０１３７】
また、前記距離比最大値を設定することで、ＴＶ装置とリモコン装置の距離が小さくなった場合、表示画面サイズが極端に小さくならないようにしている。
【０１３８】
尚、各領域で表示できる最大画面とは、各領域の表示画面情報で主画面に設定されている表示画面情報の縦横比の画面を表示するものとする。該縦横比を使用することで、画面の縦横比も考慮した画面サイズが決定できる（ｓｔ２６０９）。そして、各領域ごとに、前述画面表示処理を行い、画面表示を行い、終了する（ｓｔ２６１０）。
【０１３９】
次にメニュー処理について図２３を用いて説明する。
【０１４０】
メニュー処理では、メニュー関連のキーイベントの発生を待っている。
【０１４１】
メニューイベントが発生すると、操作中レジスタがセットされているかどうかを調査し（ｓｔ２７０２）、セットされている場合は、該メニュー関連キーイベントを発生させたリモコン装置により、既に表示がなされていると判断し、ｓｔ２７０７へジャンプし、該メニュー関連キーイベント処理による、メニュー画面表示を行う。
【０１４２】
セットされていない場合、該メニューキーイベント処理におけるメニュー画面表示が、リモコン装置で表示可能か、ＴＶ本体に表示が必要かどうかを判断し（ｓｔ２７０３）、ＴＶ装置へ表示が必要と判断した場合は、操作中レジスタのメニューフラグをセットし、他の操作中レジスタが前述視聴領域変更処理を行い、画面領域を確保する（ｓｔ２７０５、ｓｔ２７０６）。画面領域が確保できると、該メニュー画面表示を行う。
【０１４３】
ここでは操作中レジスタがセットされている領域がひとつかどうか調査し（ｓｔ２７０８）、ひとつの場合、ひとつのリモコンによる全画面表示なので、前記メニュー画面を初期サイズ、初期位置に表示し、音声のある場合は、ＴＶ本体より出力する（ｓｔ２７３１、ｓｔ２７３２）。
【０１４４】
操作中レジスタがセットされている領域が複数の場合、メニュー画面サイズが操作されているリモコンＩＤ対応の領域内で表示可能かどうかを判断し（ｓｔ２７０８）、座標を変更すればメニュー画面の大きさを変更しなくても表示可能な場合、該領域内に座標変更し表示し、優先順位が“１”かどうかを調査し、１であれば、ＴＶ本体より音声出力を行い、１でない場合は、操作中の対応リモコンへ音声を送信する（ｓｔ２７４１、ｓｔ２７１２、ｓｔ２７１３、ｓｔ２７５１）、領域内に表示不可能なサイズの場合、適当なサイズに縮小して適宜の座標を設定して領域内に表示する（ｓｔ２７０９、ｓｔ２７１０）。リモコン装置に対応する画面領域を設定した上で、該設定した画面領域上に制御情報であるメニュー画面を表示するので、メニュー画面がこのリモコン装置が制御する画面領域以外の画面領域に表示されることを回避することができる。なお、このメニュー画面のような制御情報の少なくとも一部が他の画面領域に表示されてしまうのを回避する方法としては他にも種々の方法を採用できる。いずれにしても各画面領域の座標データに基づいて他の画面領域への重複を抑制できる位置を選んで制御情報を表示すればよい。
【０１４５】
そして上記と同様、優先順位が“１”かどうかを調査し、１であれば、ＴＶ本体より音声出力を行い、１でない場合は、操作中の対応リモコンへ音声を送信する（ｓｔ２７１２、ｓｔ２７１３、ｓｔ２７５１）。
【０１４６】
一方、ｓｔ２７０３において、該メニュー表示はリモコン装置の表示で可能であると判断された場合は、メニュー画面をリモコン表示用に縮小等の処理を行い、該表示データを、リモコン制御部１．１４０より、メニュー操作を行っているリモコン装置へ送信し、表示すると共に、音声がある場合は、音声送信部より、送信する（ｓｔ２７２１、ｓｔ２７２２、ｓｔ２７２３）。
【０１４７】
上記、メニュー画面の表示と音声出力制御が終了すると、該キー処理により、メニュー処理が終了なのかどうかを判断し（ｓｔ２７１５）、終了でない場合は、対応するキー処理を行い、このキー処理を終了し、次のキーイベント割り込みを待つ（ｓｔ２７１６）。
【０１４８】
該キー処理が、メニュー操作、メニュー表示が終了する場合は、操作中レジスタのメニューフラグをクリアし、視聴領域変更処理を行い、表示領域がある場合はこれを削除し、その他の終了処理を行い、メニュー処理を終了する（ｓｔ２７６１、ｓｔ２７６２、ｓｔ２７６３）。
【０１４９】
次に、第１の動作例として、ＴＶ装置１．１との距離“Ｌ１”にいる視聴者Ａと、距離“Ｌ２”にいる視聴者Ｂが、異なる、リモコン装置１．２、１．３により、ＴＶ装置１．１の個別画面視聴動作について説明する。尚、該距離、Ｌ１、Ｌ２は、Ｌ１＞Ｌ２であり、その比Ｌ１／Ｌ２は、距離比最大値（Ｒｍａｘ）以内であるとする。
【０１５０】
まず、図９のごとく、ＴＶ装置１．１と距離“Ｌ１”にいる視聴者Ａが、リモコン装置１．２の電源ボタンを、ＴＶ装置１．１の電源をＯＮすべく押下すると、図２４、図１８の動作に従って、リモコン装置１．２から、ＴＶ装置１．１へ、リモコンＩＤ、キーデータと、距離データの送信が行われる。
【０１５１】
次に、図１９に従って、ＲＤＣテーブルに、図６のごとく、リモコンＩＤ１の距離を“Ｌ１”がセットされるとともに、操作中レジスタの“視聴中フラグ”をセット、“優先順位”が“１”にセット、領域１に、画面全体を表示する座標（（０，０）、（ｘｅｎｄ，ｙｅｎｄ））をセットする。ＲＤＣテーブルのこれ以外の値は、前回、このリモコン装置１．２により操作され保持されている内容である。そして、前述図２１の画面処理に従って画面表示を開始し、図９のごとく、チューナＡのＢＳ１９２ｃｈ、画面縦横比１６：９の画面を、全画面で単独で視聴を開始する。音声は、ＴＶ装置１．１の音声出力部１．１２４より発生している。
【０１５２】
ここで、視聴者Ｂが、個別視聴を行うため、リモコン装置１．２とは異なる、リモコン装置１．３の画面キーを押下したとする。すると、前記と同様、図２４、図１８の動作に従って、リモコン装置１．３から、ＴＶ装置１．１へ、画面キーデータと、１．３リモコンの距離データの送信が行われる。
【０１５３】
次に、図２０に従い、図７の領域２のように、ＲＤＣテーブルのリモコンＩＤ２の、操作中レジスタを“視聴中”にセットする。そして、他のＲＤＣテーブル値を調査し、領域１に“１”がセットされていので、“優先順位”は“２”にセット、距離は測定データ“Ｌ２”をセットし、視聴領域変更処理を起動する。ＲＤＣテーブルのこれ以外の値は、前回、このリモコン装置１．３により操作され保持されている内容である。これによりリモコン装置１．３が制御する画面領域が設定される。
【０１５４】
前述図２２の視聴変更処理に従って、視聴領域数を２と判断し、“優先順位”より、音声の優先順位は、領域１が“１”、領域２が“２”とし、領域２が追加であるが、追加領域２には、前回表示したＴｕｎｅｒＢ、地上波４ｃｈ、画面縦横比４：３の表示画面情報が残っており、はこれを表示することに決定する。
【０１５５】
そして、距離“Ｌ１”と、距離“Ｌ２”とより距離の比Ｌ１／Ｌ２を求め、これは、距離比最大値（Ｒｍａｘ）以内であるので、該距離の比を、画面サイズパラメータに決定し、該パラメータが、２つの領域内の最大表示画面の対角線の比が
Ｌ１／Ｌ２：１＝Ｄ１：Ｄ２
に等しくなるように、領域１（（０，０）、（ｘｅ１，ｙｅ１））、領域２（（ｘｓ２，ｙｓ２）、（ｘｅｎｄ，ｙｅｎｄ））を決定し、ＲＤＣテーブルの表示領域に書き込む。そして、前述図２１の画面表示処理により、図１０のような表示を行い、音声順位に基づき、領域１、表示画面情報１のＴｕｎｅｒＡの音声は、今までどおり、ＴＶ装置１．１本体より出力し、領域２、表示画面情報１のＴｕｎｅｒＢの音声は、リモコン装置１．３へ向けて、１．１２５より送信される。
【０１５６】
次に、第２の動作例として、個別視聴をしている視聴者Ｂが、距離Ｌ２から、視聴者Ａと同じ距離Ｌ１へ移動し、リモコン装置１．３のリサイズキーを押下した場合について説明する。
【０１５７】
リサイズキーが押下されると、図２４、図１８に基づいて、キーデータが受信され、リサイズキーであることを認識し、リモコン装置１．３に対し、距離データ要求を行い、リモコン装置１．３は、距離“Ｌ１”を測定し、ＴＶ装置１．１に送信する。該データを受信したＴＶ装置１．１は、該距離データをＲＤＣテーブルのリモコンＩＤ２に対応する領域２の距離の項に書き込み、視聴領域変更処理を起動する。
【０１５８】
視聴領域変更処理では、画面内容はそのままで、画面サイズパラメータの再計算が行われ、それに基づき、領域の再計算、領域座標の書き込みを行い、図２１の画面表示処理に基づき図１１のように、再表示を行う。図１１では、図１０に対し、視聴者ＢがＴＶ装置１．１に離れたため、視聴者Ｂの画面サイズは大きくなった。反対に、視聴者Ｂが、ＴＶ装置１．１に近づくと、視聴者Ｂの画面は小さくなる。この際、ある程度以上離れる、あるいは近づき、視聴者Ａとの距離の比が、Ｒｍａｘ以上になった場合、画面サイズは、それ以上大きく、あるいは小さくはならない。
【０１５９】
第３の動作として、動作例１の状態で、視聴者Ａが、画面キーを押下し、自分の領域、領域１内に複数の画面を表示した場合について説明する。
【０１６０】
画面モードは、以前の視聴時に、メニュー操作により、大小画面に設定されているものとする。
【０１６１】
視聴者Ａが画面キーを押下すると、図２４、図１８に基づき、前述と同様、キーデータ受信、距離データの受信が行われ、その後、図２０の画面キー処理に基づき、ＲＤＣテーブルを調査し、図６のように、操作リモコンＩＤ対応領域の画面ＩＤ数は１であるので、図５のように、新規に画面ＩＤ３と、その表示画面情報を追加する。この際、表示画面情報としては、領域１内で、以前に表示した表示画面情報１の内容、ＴｕｎｅｒＣ、地上波０２ｃｈ、画面縦横比４：３に決定し、リモコンの距離は変化していないので、画面表示処理を行う。
【０１６２】
図２１の画面処理では、前記設定された画面ＩＤ３の画面表示情報に基づき、図１２のように、領域１内に、ＴｕｎｅｒＣの小画面が追加表示される。次に、視聴者Ａが上記状態で、メニュー操作を行い、画面モードを大小２画面から、対等２画面表示に変化させたとする。
【０１６３】
すると、図２４、図１８に基づき、前述と同様、キーデータ受信、距離データの受信が行われる。画面モード変更操作処理では、距離データと、変更されたモードをＲＤＣテーブルの画面モードに書き込み、図２１に示す画面表示処理を起動する。
【０１６４】
図２１に示す画面表示処理は、該変更された対等２画面の画面モードに基づき、領域１内で画面ＩＤ１と、画面ＩＤ３の表示画面のサイズ、位置を決定し、図１３のように表示する。このように、画面モードが変化しても、視聴者Ａ，視聴者Ｂの距離が変化しない場合は、それぞれの領域は変化しない。
【０１６５】
次に、第４の動作例として、視聴者Ａがメニュー操作をすべくリモコン装置１．２のメニューキーを押下した場合、及びもしくは、視聴者Ｂがメニュー操作をすべくリモコン装置１．３のメニューキーを押下した場合のメニュー画面の表示について説明する。メニューキー押下時の表示画面は、図１４にあるような、いくつかの枠付きのテキストをカーソルキーで選択するようなもので、リモコン装置にも表示可能なものである。
【０１６６】
まず、視聴者Ａが、リモコン装置１．２の操作により、全画面で単独視聴をしている場合、メニューキーを押下すると、操作中レジスタはセットされており、かつ、設定されている画面領域はひとつだけであるので、図２２に従い、図１４のごとく、メニュー画面は、画面モードにかかわらず、初期値のサイズ、位置で画面中央に表示される。
【０１６７】
また、この視聴者Ａの全画面視聴時、視聴者Ｂが画面キーを押下せず、メニュー操作だけをしようとして、リモコン装置１．３のメニューキーを押下した場合、まだ操作中レジスタはセットされていないので、画面領域はないがリモコン装置に表示可能なので、図２２に従い、図１５のごとく、縮小されたメニュー画面がリモコン装置に表示される。
【０１６８】
また、図１０の視聴者Ａ、視聴者Ｂによる個別視聴時、視聴者Ａがメニューキーを押下した場合、表示レジスタはセットされており、画面領域はひとつでないため、視聴者Ｂが操作するリモコン装置が制御する画面領域へのメニュー画面の表示を回避する必要がある。ここで、視聴者Ａの領域で初期サイズのままで表示可能と判断されたとすると、図２２に従い、図１６のように、視聴者Ａの領域内に、サイズは、初期サイズのまま、座標を領域Ａ内に変更して表示する。
【０１６９】
一方、視聴者Ｂがメニューキーを押下した場合、表示レジスタはセットされており、画面領域はひとつでなく、他のリモコン装置が制御する画面領域へのメニュー画面の表示を回避する必要がある。ここで視聴者Ｂの領域で初期サイズのままで表示不可能と判断された場合、図２２に従い、メニュー画面を縮小し、視聴者Ｂの領域に座標変更し表示する。
【０１７０】
なお、本実施形態では、メニュー表示はメニュー画面でのみ説明したが、これは、各視聴者の操作による操作の結果としての表示すべてに対応することが可能である。例えば、接続装置の操作パネル、チャネル表示、音量表示、警告メッセージ、アイコン、などである。
【０１７１】
なお、本実施形態では、個別視聴開始時の自画面領域（自分の操作したリモコンに対応する画面領域）の追加、及び複数の自画面表示時の自画面領域の追加・削除を行う画面キーを設けたが、画面キーを設けずに電源キーに自画面領域の追加・削除の機能を割当てるようにしてもよい。なお、先にも述べたように、画面領域に複数の画面を表示できるように制御しない場合には、画面領域の追加もしくは削除とは画面の追加もしくは削除と同等なものとして扱うことができる。
【０１７２】
電源キーに自画面領域の追加・削除の機能を割当てる構成において、電源キーが押下された場合のＴＶ装置１．１の動作を示すフローチャートを図２５に示す。なお、ｓｔ２２２０、ｓｔ２２２１以外の動作は前述（図１９）と同様なので説明は省略する。
【０１７３】
リモコン１．２若しくは１．３により電源キーが押下され、キー操作のあったリモコンに対応する自画面が表示されておらず（自画面領域が設定されておらず）、他画面（他のリモコン操作により制御される画面）が表示されている（他画面領域が設定されている）場合（ｓｔ２２０１→ｓｔ２２０２→ｓｔ２２１１）、ｓｔ２２２０において、電源キー操作のあったリモコンＩＤに対して操作中レジスタ、視聴フラグをセットし、視聴領域変更処理を起動する（ｓｔ２２２１）。これにより電源キーを押下したリモコン装置によって制御される画面領域が設定（このリモコン装置によって制御される画面が表示）される。
【０１７４】
以上のような制御により、ＴＶ装置１．１に他リモコンにより制御される他画面が表示されていない（電源キーが押下されるリモコンによって制御される画面領域以外の画面領域が設定されていない）場合には、リモコン１．２若しくは１．３による電源キーの押下に応じて通常の電源キーの機能であるＴＶ装置１．１の電源ＯＮ／ＯＦＦの動作を行う。
【０１７５】
一方、ＴＶ装置１．１に電源キーが押下されるリモコン装置によって制御される画面領域以外の画面領域（例えば他のリモコン装置によって制御される画面領域）が設定されている場合には、リモコン１．２若しくは１．３による電源キーの押下に応じて、キー操作のあったリモコンに応じた自画面領域の追加／削除の動作を行う。
【０１７６】
この様に、操作されるリモコン装置によって制御される画面領域以外の画面領域の設定の有無に応じてキーの機能の割当てを変更することにより、簡易な構成で複数のリモコンに対応する画面の表示制御を実行することができる。
【０１７７】
なお、以上の具体例としては入力装置として複数のリモコン装置を用いる構成を例示したが、表示制御回路（及び表示装置）を収めた筐体に設けられた操作ボタンなど、リモコン装置以外の入力装置を用いることもできる。また前記リモコン装置１．３による制御に代えて、表示システムが視者の制御に基づかない画面を強制的に表示する制御を行っている場合に、リモコン装置１．２による上記と同様の制御を行う場合にも有効である。
【０１７８】
このように、以上述べた実施形態においては、複数の視聴者とＴＶ視聴者の視聴距離により、画面のサイズを決定することで、より良い個別画面視聴環境を提供することができる。
【０１７９】
また、前記距離比最大値を設定し、画面サイズの上限、下限を設けることで、ＴＶ装置とリモコン装置の距離が小さくなった場合、表示画面サイズが極端に小さくならないようにしている。
【０１８０】
また、画面領域、画面サイズの決定時に、表示内容の縦横比を使用することで、画面の縦横比も考慮した画面サイズが決定できる。
【０１８１】
また、複数の視聴者とＴＶ視聴者の視聴距離に対応した領域を確保し、該確保された領域内でのみＯＳＤ、メニュー表示を行うことで、個別視聴している他の視聴者の画面の邪魔をしないような環境を提供することができる。
【０１８２】
また、リモコン装置で表示可能なメニュー画面をＴＶ装置に表示しないことで、個別視聴している他の視聴者の邪魔にならないようにすることが可能である。
【０１８３】
また、先に視聴を開始した視聴者にＴＶ本体からの音声出力の優先権を与えることで、先に視聴を開始した視聴者に対し、視聴を妨げないようにすることができる。
【０１８４】
また、電源キーによるＴＶ装置の電源ＯＦＦは、最終視聴者のみに有効とすることで、不用意な操作による電源ＯＦＦを防止し、より良好なマルチ視聴環境を提供することができる。
【図面の簡単な説明】
【０１８５】
【図１】本発明が適用されるシステムの構成を示すブロック図である。
【図２】ＴＶ装置１．１の詳細を説明するブロック図である。
【図３】リモコン装置１．２、１．３の詳細を説明するブロック図である。
【図４】リモコン装置１．２、１．３の一例を示す図である。
【図５】ＲＤＣテーブルを説明する図である。
【図６】視聴者Ａ視聴時のＲＤＣテーブルを説明する図である。
【図７】視聴者Ａ、Ｂ個別視聴時のＲＤＣテーブルを説明する図である。
【図８】距離測定テーブルを説明する図である。
【図９】視聴者Ａ単独視聴の一例を示す図である。
【図１０】視聴者Ａ、Ｂ個別視聴の一例を示す図である。
【図１１】視聴者Ａ、Ｂ個別視聴の一例を示す図である。
【図１２】視聴者Ａによる画面追加の一例を示す図である。
【図１３】視聴者Ａによる画面サイズ変更の一例を示す図である。
【図１４】視聴者Ａ単独視聴時のメニュー表示例を示す図である。
【図１５】視聴者Ｂ画面否使用時のメニュー表示例を示す図である。
【図１６】視聴者Ａ、Ｂ個別視聴時の視聴者Ａのメニュー表示例を示す図である。
【図１７】視聴者Ａ、Ｂ個別視聴時の視聴者Ｂのメニュー表示例を示す図である。
【図１８】キー受信動作の流れを説明する図である。
【図１９】電源キー動作の流れを説明する図である。
【図２０】画面キー動作の流れを説明する図である。
【図２１】画面表示動作の流れを説明する図である。
【図２２】視聴領域変更動作の流れを説明する図である。
【図２３】メニュー処理動作の流れを説明する図である。
【図２４】リモコン処理動作の流れを説明する図である。
【図２５】電源キーによる制御動作の流れの一例を示す図である。
【図１】
2006279973.tif 000003
【図２】
2006279973.tif 000004
【図３】
2006279973.tif 000005
【図４】
2006279973.tif 000006
【図５】
2006279973.tif 000007
【図６】
2006279973.tif 000008
【図７】
2006279973.tif 000009
【図８】
2006279973.tif 000010
【図９】
2006279973.tif 000011
【図１０】
2006279973.tif 000012
【図１１】
2006279973.tif 000013
【図１２】
2006279973.tif 000014
【図１３】
2006279973.tif 000015
【図１４】
2006279973.tif 000016
【図１５】
2006279973.tif 000017
【図１６】
2006279973.tif 000018
【図１７】
2006279973.tif 000019
【図１８】
2006279973.tif 000020
【図１９】
2006279973.tif 000021
【図２０】
2006279973.tif 000022
【図２１】
2006279973.tif 000023
【図２２】
2006279973.tif 000024
【図２３】
2006279973.tif 000025
【図２４】
2006279973.tif 000026
【図２５】
2006279973.tif 000027